Podtech/llm-jp-corpus-v4-ja_patent huggingface dataset:
(57)【要約】【課題】消防服を着用した着用者が少なくとも一時的に自力で移動できない状態となった場合に当該着用者の移動を支援できる消防服を提供する。【解決手段】本発明に係る消防服１００は、着用者Ｐの下半身に着用可能な下衣部１０と、着用者の上半身に着用可能な上衣部２０と、を有し、上衣部は着用者を牽引する際に把持される把持部２３を備える。【選択図】図１
0003213400.tif 000002
【実用新案登録請求の範囲】
【請求項１】
着用者の下半身に着用可能な下衣部と、
前記着用者の上半身に着用可能な上衣部と、を有し、
前記上衣部は、前記着用者を牽引する際に把持される把持部を備える、消防服。
【請求項２】
前記上衣部は、前記上衣部の胴部における内側に設けられ、前記上衣部を前記下衣部と連結する連結部をさらに備える請求項１に記載の消防服。
【考案の詳細な説明】
【技術分野】
【０００１】
本考案は消防服に関する。
【背景技術】
【０００２】
火災場所等の災害現場では救助隊員が消防服を着用して救助活動を行うことが一般的である（特許文献１参照）。
【先行技術文献】
【特許文献】
【０００３】
【特許文献１】特開平０７−０６７９７６号公報
【考案の概要】
【考案が解決しようとする課題】
【０００４】
本考案者は、消防服を着用した者が状況によっては災害現場等で移動できなくなる場合がある点に着目し、周囲の者が上記着用者の移動を支援する事項について検討している。
【０００５】
そこで本考案は、着用者の移動を支援できる消防服を提供することを目的とする。
【課題を解決するための手段】
【０００６】
上記目的を達成する本考案は、着用者の下半身に着用可能な下衣部と、着用者の上半身に着用可能な上衣部と、を有し、上衣部は、着用者を牽引する際に把持される把持部を備える。
【考案の効果】
【０００７】
本考案に係る消防服によれば、把持部を用いて着用者を牽引することによって着用者の移動を支援することができる。
【図面の簡単な説明】
【０００８】
【図１】本考案の一実施形態に係る消防服を着用した着用者を示す背面図である。
【図２】図１の消防服に係る把持部を示す平面図である。
【図３】消防服を構成する上衣部における胴部内部を示し、上衣部と下衣部の連結について説明する図１の変形例を示す斜視図である。
【考案を実施するための形態】
【０００９】
以下、添付した図面を参照しながら、本考案の実施形態を説明する。なお、以下の記載は実用新案登録請求の範囲に記載される技術的範囲や用語の意義を限定するものではない。また、図面の寸法比率は説明の都合上誇張されており、実際の比率とは異なる場合がある。
【００１０】
図１、２は本考案の一実施形態に係る消防服の説明に供する図であり、図３は図１の変形例を示す斜視図である。なお、図１〜３では便宜上、着用者Ｐの方向を示すために座標系を図示している。Ｘ方向は着用者Ｐの左右における右方向にあたる。Ｙ方向は着用者Ｐの前後における前方向にあたる。Ｚ方向は、着用者Ｐの上下における上方向にあたる。
【００１１】
本実施形態に係る消防服１００は、図１に示すように着用者Ｐの下半身に着用可能な下衣部１０と、着用者Ｐの上半身に着用可能な上衣部２０と、着用者Ｐの頭部に装着されるヘルメット３０と、を有する。下衣部１０は、着用者Ｐの下肢を被覆する脚部１１と、着用者Ｐの下腹部等を被覆する下腹部１２と、を備える。上衣部２０は、着用者Ｐの上腕部分を被覆する腕部２１と、着用者Ｐの胴体部分を覆う胴部２２と、を備える。下衣部１０及び上衣部２０はアラミド繊維等の材料によって構成される。ヘルメット３０は、ＡＢＳ（アクリロニトリルブタジエンスチレン）樹脂等の公知の材料によって構成される。
【００１２】
上衣部２０における胴部２２の背面には図１に示すように上衣部２０及び下衣部１０を着用した着用者Ｐを牽引する際に把持される把持部２３が設けられている。把持部２３は、火災現場等で周囲にいる者が着用者Ｐを移動させるために利用される。把持部２３は、図２に示すように帯状の部材の両端部２箇所を胴部２２に縫い付ける等して中間部に手等を差し込める隙間を設けた状態に構成している。これにより、着用者Ｐの上半身を抱く等して移動させる従来の場合と比べて、把持部２３を把持して着用者Ｐを牽引することによって着用者Ｐを容易に移動させることができる。これにより、着用者Ｐの移動を支援することができる。
【００１３】
把持部２３は、図１において着用者Ｐの首部における後ろ当たりに設けている。しかし、人体を移動させる持ち手部とできれば、取り付け箇所は上記に限定されない。上記以外にも図１において破線にて示す上衣部２０の把持部２３ａのように、背中の下部付近に設けてもよい。また、図１では把持部２３ａを２個水平に並べて配置しているが、配置の態様は水平に限定されず、また、把持部の個数も２個に限定されない。
【００１４】
図３は、図１の変形例を示す消防服であって上衣部と下衣部との連結について示す斜視図である。本考案に係る消防服１００ｂを構成する上衣部２０ｂにおける胴部２２ｂの内側には、図３に示すように上衣部２０ｂを下衣部１０ｂと連結する連結部として補助ベルト２４を設けることができる。補助ベルト２４は、下衣部１０ｂのベルト１３に取り付けることによって、着用者Ｐを牽引する際に上衣部がめくれあがることを抑制できる。なお、補助ベルト２４は上衣部が下衣部から離間することを抑制できれば、下衣部のベルト以外の部位又は部品に取り付けてもよい。
【００１５】
なお、本考案は上述した実施形態にのみ限定されず、実用新案登録請求の範囲において種々の変更が可能である。上記において把持部２３ａは、上衣部２０の背中下部付近に設ける実施形態について説明した。しかし、着用者Ｐは災害現場等においてボンベ等の器具を装着する場合があるため、把持部を上記以外にも例えば上衣部の脇腹付近に設けてもよい。
【符号の説明】
【００１６】
１０、１０ｂ  下衣部、
１００、１００ｂ  消防服、
２０、２０ａ、２０ｂ  上衣部、
２３、２３ａ  把持部、
２４  補助ベルト（連結部）、
Ｐ  着用者。
【図１】
0003213400.tif 000003
【図２】
0003213400.tif 000004
【図３】
0003213400.tif 000005
(57)【要約】      （修正有）【課題】簡易かつコスト効率が高く、かつ多数のカードを保持することが出来るカード入れを提供する。【解決手段】カード入れが、下部点１を支点とした扇状の展開可能部２を有するカード入れ本体３と、展開可能部２において、一対の上部保持端４間に備えられる展開可能なシート５とを有し、展開可能なシート５には、カード挿入用の複数のスリット６が設けられ、展開可能部２の側部に開放され支持部材が設けられていない。スリット６は、展開可能なシート５の長手方向に、並列して各列複数設けられる。【選択図】図１
0003213783.tif 000002
【実用新案登録請求の範囲】
【請求項１】
下部点（１）を支点とした扇状の展開可能部（２）を有するカード入れ本体（３）と、
展開可能部（２）において、一対の上部保持端（４）間に備えられる展開可能なシート（５）とを有し、
展開可能なシート（５）には、カード挿入用の複数のスリット（６）が設けられ、
展開可能部（２）の側部（７）は開放され、支持部材が設けられていないことを特徴とするカード入れ。
【請求項２】
スリット（６）が、展開可能なシート（５）の長手方向に、並列して各列複数設けられることを特徴とする請求項１に記載のカード入れ。
【請求項３】
展開可能部（２）を閉じた時、展開可能なシート（５）は、２つ折りで折りたたまれて収納されることを特徴とする請求項１又は２に記載のカード入れ。
【請求項４】
長財布、２つ折り財布又は札入れであることを特徴とする請求項１から３のいずれかに記載のカード入れ。
【考案の詳細な説明】
【技術分野】
【０００１】
本考案は、カードを挿入して保持できる財布、札入れなどのカード入れに関する。
【背景技術】
【０００２】
クレジットカード、キャッシュカードなどの各種カード類は、電子マネーの普及の影響もあり、一人あたり保有数は増加傾向にある。このため、多数のカードを保持するカード入れの需要が増加しており、例えば特許文献１に記載のような、複数の菱形セルや蛇腹構造を応用した財布などが開示されている。
【０００３】
しかしながら、このような複数の菱形セルや蛇腹構造のカード入れでは、製造や成型に手間がかかり、結果としてコスト高になりうる。一方、現状では国際的な価格競争は非常に厳しく、わずかなコスト削減であっても市場における商品の成否を分けることになる。
【先行技術文献】
【特許文献】
【０００４】
【特許文献１】特開2016-221200号公報
【考案の概要】
【考案が解決しようとする課題】
【０００５】
そこで、本考案は、簡易かつコスト効率が高く、かつ多数のカードを保持することが出来るカード入れを提供することを目的とする。
【課題を解決するための手段】
【０００６】
前記課題を解決するため、本考案のカード入れは、下部点を支点とした扇状の展開可能部を有するカード入れ本体と、展開可能部において、一対の上部保持端間に備えられる展開可能なシートとを有し、展開可能なシートには、カード挿入用の複数のスリットが設けられ、展開可能部の側部は開放され支持部材が設けられていないことからなる。
【０００７】
また、スリットが、展開可能なシートの長手方向に、並列して各列複数設けられることが好適である。
また、展開可能部を閉じた時、展開可能なシートは、２つ折りで折りたたまれて収納されることが好適である。
また、長財布、２つ折り財布又は札入れであることが好適である。
【０００８】
本考案は、支点を中心として扇状に展開する、展開可能部を有する財布や札入れに適用するものである。この展開可能部には、これまで、例えば特許文献１のように、菱形のセル状の袋や蛇腹状のシートを使用した収納部が設けられていた。しかし、本考案では、この展開可能部に、展開可能なシートを一対の上部保持端間に備え、当該展開可能なシートのスリットに各種カードを差し込んで保持するものである。そして、展開可能部の側部には、各種生地又は素材を設けず、開放することにしたものである。この構成によれば、最も簡易な構成で、必要生地又は部材を最小限にしながら、展開可能部及び展開可能なシートから構成される空洞部に多数のカードを収納することが可能となる。なお、シートは、カード入れの素材に応じて、皮革、人工皮革、樹脂、布、その他の様々な公知の素材を選択することができる。また、上部保持端は、上部にシート両端が支持されていればよく、展開可能部の上部端にシートが設けられていなければならないという趣旨ではない。
【０００９】
また、スリットが、展開可能なシートの長手方向に、並列して各列複数設けられることで、より多数のカードを整列して収納することが可能になる。各行及び各列において全て整列して配列されていても、行又は列において互いにずれて配置されていても良い。
【００１０】
展開可能部を閉じた時、展開可能なシートは、２つ折りで折りたたまれて収納されると、多数のカードの保持しつつも厚みを減少させることに有効である。
【００１１】
本考案における「カード入れ」は、金銭を収納しないカード入れに限られず、長財布、２つ折り財布又は札入れなどカード収納可能な各種のカード入れを含む概念である。
【考案の効果】
【００１２】
本考案によれば、軽量・薄厚で、製造効率及びコストに優れた、カード入れを提供することが可能になる。
【図面の簡単な説明】
【００１３】
【図１】本考案の実施の一例を示す図である。
【図２】スリットにカードを入れた状態を示す図である。
【考案を実施するための最良の形態】
【００１４】
本考案の実施の１例を図面に従って説明する。
図１は本考案のカード入れ８を示す図であり、図２はスリットにカードを入れた状態を示す図である。当該実施例は、札入れ部９を有する札入れとして使用されるカード入れ本体３からなる。そして、通常の札入れと同様に、下部点１を支点として、扇状に展開できる展開可能部２を有している。また、札入れ部９の反対側には、カード収納部１０が設けられている。
【００１５】
そして、展開可能部２において、一対の上部保持端４間に、展開可能なシート５が設けられ、展開可能部２を開くと同時にシート５が展開される。シート５は、展開可能部２が閉じている時には、凹状に２つ折りされる形でカード入れ８内に収納される。
【００１６】
シート５には、カード挿入用の複数のスリット６が、３行５列に渡り１５個設けられている。そして、展開可能部２の側部７には、何ら部材は設けられず、開放され、シート５の下部は長手方向（筒状）に開口された状態となっている。
【００１７】
したがって、必要最小限の構成でありながら、シート５内だけで１５枚ものカードを収納可能である。そのため、製造費において有利であり、製造工程も短縮化可能である。さらに、側部が開口していることから、札入れ８を閉じた場合であっても、全体として薄さを維持することが可能である。
【００１８】
本考案は、上記構成の例だけにとどまらず、２つ折り財布の内側構造や、金銭を収納しないカード入れなど、様々な形態おいて適用可能である。
【符号の説明】
【００１９】
１  下部点
２  展開可能部
３  カード入れ本体
４  上部保持端
５  シート
６  スリット
７  側部
８  カード入れ
９  札入れ部
１０  カード収納部
【図１】
0003213783.tif 000003
【図２】
0003213783.tif 000004
(57)【要約】      （修正有）【課題】衛生面、利便性、有効性にとんだ木材を原料とした使い捨てバスタオルを提供する。【解決手段】紙又は木材パルプを化学的に解きほぐした素材から作るバスタオル１であって、安心安全で持続可能社会を目指す、一回使い切りを特徴とし少子高齢化社会の衛生に役立つ。【選択図】図１
0003213712.tif 000002
【実用新案登録請求の範囲】
【請求項１】
一回使い切りを特徴とするバスタオル。木材を原料とする天然素材のお肌に優しい  心落ち着く  衛生的かつ利便性にとんだ次世代につながる発想が原点のバスタオル。従来の紙製品とは違い、やぶれにくい分子構造をさぐり、できうる限り環境に負担をかけず、ロングセラーを目指す。
【考案の詳細な説明】
【技術分野】
【０００１】  本考案は、紙又は木材パルプを化学的に解きほぐした素材から作るバスタオルに関するものである。
【背景技術】
【０００２】  生活用品の一つとして、既に、紙を使った使い捨て製品は多数ある。
【考案の概要】
【考案が解決しようとする課題】
【０００３】  梅雨時等、大きく厚手の布製品は、洗濯後の乾燥が大変である。その乾燥に時間がかかると、カビや雑菌の増殖をうながし不潔になる。又介護の場、災害等による緊急避難の場、病院、ホテル、スポーツジム等の公共の場での積極的使用により、クリーニングにかかる費用削減もさることながら、手軽さとすぐれた衛生面から国内にとどまらず全世界に通用する、多岐に渡る可能性を求めようとするものである。
【課題を解決するための手段】
【０００４】  本考案は、紙又は木材パルプを化学的に解きほぐした素材から作るバスタオルにより、人々の生活を天候等の条件に左右されることなく、より清潔で快適なスマートかつスピーディーに展開することを確保する。
【考案の効果】
【０００５】  使い捨てバスタオルは、毎回使用後に廃棄するので、シラミ・ウイルス感染、それらの増殖や媒介による罹患の危険性の大幅改善、カビ・ダニ抑制、洗濯による水や電気の節約またはクリーニング費用カット、更にはクリーニングに不可欠な石油系溶剤による環境汚染の改善など、多面的思考で環境問題にも効果が期待できる。
【図面の簡単な説明】
【０００６】
【図１】本考案の使い捨てバスタオルの一実施例を示す正面図である。
【考案を実施するための形態】
【０００７】  アレルギー体質の子供でも安心して使用し続けられるように、木材を原料とする天然素材から作り、ふんわりとした手触りと凹凸の表現による高級感を出し日本人が古来から求めたせんさいな美しさがあり、現代の新しい技術開発に基づく確かな吸収力と消臭力を持つ。サイズは一般的なバスタオルたて５０ｃｍよこ１２０ｃｍ程度をベーシックに多少の長短を考える。厚み２〜３ｍｍに想定する。特別でない日常使いができたら、公衆衛生の向上はもとより自由自在な発想で寝苦しい夏の夜の寝具への改良も視野に入る。
【０００８】  万が一、大災害が起き大勢の人々がせまいエリアで共同生活を強いられる時に排泄物の処理に苦慮するが、このバスタオルで身体をふいた後に排泄物を包んで土に返すと、汚物そのままで返すより、木そのものの抗菌力と消臭力で害虫の発生率を低くできるのではないか。
【０００９】  各家庭、病院、ホテル等の公共施設、国内および全世界ついには宇宙空間にまで、利用の可能性は無限である。変哲もないシンプルさゆえに各々のお好みに応じられる。
【符号の説明】
【００１０】１  バスタオル本体
【図１】
0003213712.tif 000003
【手続補正書】
【提出日】平成29年9月7日(2017.9.7)
【手続補正１】
【補正対象書類名】実用新案登録請求の範囲
【補正対象項目名】請求項１
【補正方法】変更
【補正の内容】
【請求項１】
木材を原料とする天然素材から作る一回使い切りを特徴とする使い捨てバスタオル。
(57)【要約】      （修正有）【課題】スマート・フォンの片手による操作に伴う落下の危険を防止する片手保持装置を提供する。【解決手段】両端に接着した両面テープ４を備え、スマートフォンそれ自体あるいはスマート・フォンケースの裏面等に接着し、かつ、伸縮性のある材質を備えたバンド３であって、このバンド３の隙間に複数の指を刺し込んで保持し、また、バンド３の表面中央に設置した文字・写真等の資料からなる広告欄５を備える。【選択図】図１
0003213716.tif 000002
【実用新案登録請求の範囲】
【請求項１】
両端の両面テープをもってスマート・フォンあるいはスマホ・ケースの裏面等に接着した伸縮性のある材質のバンドであって、複数の指をバンドの隙間に挿し込んで片手操作するための、スマート・フォンの片手保持装置。
【請求項２】
バンドの表面の中央部に設置した文字・写真等の資料からなる広告欄を特徴とする請求項１のスマート・フォンの片手保持装置。
【考案の詳細な説明】
【技術分野】
【０００１】  本考案は、スマートフォンの片手操作による落下防止のためのスマート・フォン片手保持装置に関する。
【背景技術】
【０００２】  スマート・フォン（以下、スマホ）は、外出先等の必要に応じて、片手で保持しかつ操作する機会も多々ある。そうすると、不安定な状態で保持するので、手元の狂いにより、スマホを落下させる危険性も生ずる。
そこで、スマホを片手で保持しかつ操作しても、手元の安定性を維持し、スマホの落下を防止する装置をいろいろと試みている。
【考案の開示】
【考案が解決しようとする課題】
【０００３】  本考案の解決しようとする問題点は、次の通りである。
スマホを片手で保持・操作するための従来の装置として、指一本を通す指掛けリングと複数の指を通す指掛けバンドに大別できる。
指掛けリングは、指一本を通すだけであるので、不安定であり、かつ、指に負担を与えるという難点がある。これに対し、指掛けバンドにも、スマホの裏面からバンドが外れないように装着するという問題が残る。
【課題を解決するための手段】
【０００４】  本考案の解決する手段は、次の通りである。
先ず、伸縮性のある材質を用いたバンドであり、また、両端に接着した両面テープをもって、スマホそれ自体あるいはスマホ・ケースの裏面等に接着したものであって、このバンドの隙間に複数の指を挿し込んで片手操作する、スマホの片手保持装置である。
次に、伸縮性のある材質を用いたバンドの表面中央に文字・写真等の資料からなる広告欄を設置し、また、両端に接着した両面テープをもって、スマホそれ自体あるいはスマホ・ケースの裏面等に接着したものであって、このバンドの隙間に複数の指を挿し込んで片手操作する、スマホの片手保持装置である。
【考案の効果】
【０００５】  本考案の効果は、次の通りである。
先ず、本考案は、スマホあるいはスマホ・ケースの裏面に接着するバンドであるので、スマホとバンドの隙間に複数の指を刺込みしっかりと保持できるので、片手で操作しても手元から落下する危険を解消できる。
次に、スマホを使用する頻度に伴って、バンドの表面の中央部に設置された広告欄の文字・写真等の資料を見る機会も増加するので、依頼者の業務内容の宣伝広告の効果が増大することになる。
【図面の簡単な説明】
【０００６】
【図１】  本考案に係るスマホ・バンドの斜視図面である。
【図２】  本考案に係るスマホ・バンドのスマホ・ケースに対する使用図面である。
【符号の説明】
【０００７】１  スマホ
２  スマホ・ケース
３  スマホ・バンド
４  両面テープ
５  広告欄
【考案を実施するための形態】
【０００８】  本考案の実施の形態である。
【０００９】  先ず、本考案に係るスマホ・バンドの構成であり、バンドと両面テープからなる。
バンドを本体とする。バンドは、複数の指を挿し込み易く、かつ、締め付けられ易いものであるために、伸縮性のある材質を適当とする。したがって、現在、シリコン・ゴム製のバンドとなる。
バンドは、スマホの大きさに対応して、一般に市販されている長尺物を適度の長さに切断して用いる。そうすると、一般に、長方形の状態のバンドとなる。円形に丸めてリストバンドのような状態にしてもよい。
バンドの表面の中央部分に広告欄を設置し、依頼者の要望に応じて業務内容を宣伝・広告する。この欄は、文字・写真等からなり、透明なビニール製の布を表面としかつこれに布を裏付けして縫い合わせる。
両面テープは、バンドに接着する。両面テープは、強力な接着剤を塗付したものであれば、一般に市販されているものを用いる。
両面テープの一面のカバーを剥がして、バンドの両端部に接着する。両端部に接着された両面テープのカバーを剥がして、スマホあるいはスマホケースの裏面に接着する。
次に、本考案に係るスマホ・バンドの使用である。スマホ・バンドを使用するのは、スマホそれ自体、あるいは、スマホ・ケースの裏面等である。
バンドの材質による伸縮性に応じて、複数の指をバンドの隙間に挿し込んむと、しっかりと締め付けられる。その結果、スマホを片手で安定して保持して操作できる。
【図１】
0003213716.tif 000003
【図２】
0003213716.tif 000004
【手続補正書】
【提出日】平成29年9月12日(2017.9.12)
【手続補正１】
【補正対象書類名】実用新案登録請求の範囲
【補正対象項目名】全文
【補正方法】変更
【補正の内容】
【実用新案登録請求の範囲】
【請求項１】
伸縮性のある材質からなりかつ両端に両面テープを装備したバンドをスマートフォン・ケースに接着したものであって、複数の指をバンドの隙間に挿し込んで片手操作するための、スマートフォンの片手保持装置。
(57)【要約】      （修正有）【課題】１枚のプラスチックシートから形成されており、マスクを折らず開いた状態で収納できるほか、収納した状態で二つ折りにすることも可能なマスク収納ケースを提供する。【解決手段】プラスチックシートを折り曲げて重ね合わせ、重ね合わさった底辺を溶着加工して形成されたマスクを挟み込んで収納するマスク収納ケースであって、一方の面には二つ折りにするための折り筋線Ｄが形成されており、他方の面には帯状の切除部Ｆを切り取るためのミシン目が形成され、その帯状の切除部Ｆを切り取り、折り筋線Ｄを谷折りに折りたたむ。帯状の切除部Ｆを切り取らず使用する場合は、マスクを折りたたむことなく収納できる。【選択図】図３
0003213720.tif 000002
【実用新案登録請求の範囲】
【請求項１】
プラスチックシートを折り曲げて重ね合わせ、折り曲げた辺に隣接する底辺 Bを溶着加工して形成されたマスク等を挟み込んで収納するマスク収納ケースであって、一方の面には二つ折りにするための折り筋線 Dが形成されており、他方の面には帯状の切除部 Fを切り取るためのミシン目 Cが形成され、その帯状の切除部 Fを切り取り、折り筋線 Dを谷折りに折りたたむことを特長とする折りたたみ機能を備えたマスク収納ケース。
【請求項２】
帯状の切除部 Fを切り取らず使用する場合は、マスクを折りたたむことなく収納できることを特長とする請求項1の折りたたみ機能を備えたマスク収納ケース。
【請求項３】
材料であるプラスチックシートに印刷等を用い抗菌加工を施すことにより、収納するマスク等を清潔に収納し携行することができる請求項1の折りたたみ機能を備えたマスク収納ケース。
【考案の詳細な説明】
【技術分野】
【０００１】
本考案は二つに折りたたむことができるプラスチックシート製のマスク収納ケースに関するものである。
【背景技術】
【０００２】
プラスチックシートに折り加工及び溶着加工を施し製作された収納ケースはマスクを携行する際に一般的に使用されている。
【考案の概要】
【考案が解決しようとする課題】
【０００３】
一般的なマスク収納ケースの多くは折りたたみ機能を持たないため、服のポケットや小さな鞄などに収納する際に入らないことがあるなど使い勝手が悪い場合があった。一方で、二つ折り専用のマスク収納ケースの場合はマスクを折りたくないと考える人の要望には応えることができない。マスクを収納する際に折る方法と折らない方法の両方に対応することにより利便性を高めることが可能となる。
【課題を解決するための手段】
【０００４】
本考案は材料となるプラスチックシートを折り曲げて重ね合わせ、折り曲げた辺に隣接する1辺を溶着加工して２辺が開口したケースを形成する。一方の面のほぼ中央に帯状にミシン目加工された切除部を設け、その面を内側として二つ折りにできる構造とすることにより二つ折りにして使用できる他に、切除部を切り取らない場合はマスクを折らず開いた状態で収納することもできる。
【考案の効果】
【０００５】
本考案ではマスクを折ることなく開いた状態で収納できるだけでなく、より小さくして携行したい場合には二つ折りにすることもできる。そのため、二つの要望を満たし使用者が任意に選択できるより利便性を高めたマスク収納ケースの提供が可能となる。
【図面の簡単な説明】
【０００６】
【図１】本考案に使用するプラスチックシートの展開図
【図２】本考案の完成図及び使い方を示す図
【図３】本考案の切除部を切り取った状態を示す図
【図４】本考案を二つ折りにした状態を示す図
【考案を実施するための形態】
【０００７】
以下、本考案の形態を図に基づいて説明する。
【実施例】
【０００８】
図１は型抜きされた1枚のプラスチック製のシートである。このプラスチック製のシート図１の折り筋線 Aを山折りにして重ね合った底辺 Bを溶着加工することにより2辺からなる開口部を持つマスク収納ケース 1が形成される。書類を収納するケースとして一般的に使用されているクリアファイル又はクリアホルダーと同様に、折りたたまれた２枚のプラスチックシートの間にマスク ２を挟み込んで使用する。本考案ではさらに小さくして携行するために、例えば二つ折り財布のように折りたたむ機能を持つ。一方の面に設けられた帯状の切除部 Fを切り取るためのミシン目 Cと、そのミシン目 Cと接する辺Aの一部にもミシン目加工が施されており容易に切り離すことができる。他方の面にはミシン目 Cと並行して折り筋線 Dが施されており、切除部 Fを切り取った面を内側にしてマスクを収納したまま二つ折りにできる。また切除部 Fを切り取らない場合はマスクを折らず開いた状態で収納可能なケースとして使用できる。さらにプラスチックシートに抗菌加工を施すことによりケースに付着した雑菌の増殖を抑制し、より衛生的にマスクを収納することが可能である。
【符号の説明】
【０００９】
1  折りたたみ機能を備えたマスク収納ケース
2  マスク
A  折り筋線
B  底辺
C  ミシン目
D  折り筋線
E  溶着加工
F  切除部
【図１】
0003213720.tif 000003
【図２】
0003213720.tif 000004
【図３】
0003213720.tif 000005
【図４】
0003213720.tif 000006
【手続補正書】
【提出日】平成29年9月21日(2017.9.21)
【手続補正１】
【補正対象書類名】実用新案登録請求の範囲
【補正対象項目名】全文
【補正方法】変更
【補正の内容】
【実用新案登録請求の範囲】
【請求項１】
プラスチックシートを折り曲げて重ね合わせ、重ね合わさった底辺 Bを溶着加工して形成されたマスクを挟み込んで収納するマスク収納ケースであって、一方の面には二つ折りにするための折り筋線 Dが形成されており、他方の面には帯状の切除部 Fを切り取るためのミシン目 Cが形成され、その帯状の切除部 Fを切り取り、折り筋線 Dを谷折りに折りたたむことを特長とする折りたたみ機能を備えたマスク収納ケース。
【請求項２】
帯状の切除部 Fを切り取らず使用する場合は、マスクを折りたたむことなく収納できることを特長とする請求項1の折りたたみ機能を備えたマスク収納ケース。
【請求項３】
材料であるプラスチックシートに印刷を用い抗菌加工を施すことにより、収納するマスクを清潔に収納し携行することができる請求項1の折りたたみ機能を備えたマスク収納ケース。
(57)【要約】      （修正有）【課題】より簡単に外れずに取付け、取り外しができて無公害で何度でも使用可能なツメ引っかけ式ネットの止め具を提供する。【解決手段】洗濯バサミ方式の形状の取手１とバネ３を二個にして、つかむ部分は数多く細いツメ状のヘアークリップ状の形状にして、先端のつかむ部分は少し曲げて交差する細いツメ状の先端部分２にしておくことにより細かいメッシュ状の網の穴に通して、ワンタッチで網を固定をすることができることを特徴とする。【選択図】図１
0003213721.tif 000002
【実用新案登録請求の範囲】
【請求項１】
取手とバネの部分は洗濯バサミ型の形状であり、ネットをつかむ先端部分はヘアークリップ型の形状で、つかむ部分のツメはできるだけ多くしておき、バネは２個にして強力にして、ネットとネット、ネットと別の物体を固定する時はできるだけワンタッチでつかんで固定をすることができるように、つかむ部分の先端は少し曲げた細いツメ状の形状と交差するようにしておくことにより、ツメがネットの穴にはいり、簡単に抜けなくなり、固定できることを特徴とする、ツメ引っかけ式ネットの止め具。
【考案の詳細な説明】
【技術分野】
【０００１】  細かいメッシュのネット〈網〉を柱に巻いて止めたり、ネットとネットを重ねて止めたり、接続したりして止める時の止め具に関するものである。
【背景技術】
【０００２】  ネットを他のものやネットどうしの接続する方法は存在する。
【先行技術】
【０００３】  １、ホッチキスで止める。
２、金属、プラスチック、ステンレス、木製、合成樹脂製などのＳ字、Ｖ字、Ｕ字状の止め具。
３、針付きの糸で縫う。
４、ヒモで結ぶ。
５、ゴムで巻いて止める。
６、熱で圧着して止める。
７、両面テープで貼って止める。
８、テープで貼る
９、Ｖ字、Ｕ字状の形の釘を叩いて止める。
【考案の概要】
【０００４】  取手とバネの部分は洗濯バサミ型の形状であり、ネットをつかむ先端の部分はヘアークリップ型の形状で、数多くツメ状にして、少し斜めに曲げて交差さしておくことにより、細かい１〜３重のメッシュ状のネットの穴に入り、ずり落ちせずに、ワンタッチで操作ができることを特徴とする、ツメ引っかけ式ネットの止め具。
【考案が解決しようとする課題】
【０００５】  ネットを止める時には一般的にはコスト的に安くて早くできるためにホッチキス、変形した釘やヒモ、テープで止める場合が多いが釘やホチッキスの芯は金属のためやヒモ、テープは合成樹脂製のために地面に落ちると公害になる。１〜３重のネットをワンタッチでずり落ちしなくて、止める操作が出来て、無公害で何度でも使用可能な止め具が要求されている。
【考案が解決するための手段】
【０００６】  取手とバネの部分は洗濯バサミのようにして、ネットを掴む先端の部分はヘアークリップのようにたくさんの細いツメ状の形にしておく。また、先端のツメの部分はお互いが交差できて外れないように少し曲がった細いツメ状にしておくことにより細かいメッシュ状の網の穴に入り、ずり落ちないようになる。材質はシリコン樹脂、ポリプロピレン、ポリスチレン、などで作り、バネは鋼線とする。更に、バネを二個にして強力にすることにより多くのツメを動かすことが可能にする。ワンタッチで簡単に操作が出来て、無公害で再利用が可能であることを特徴とする、ツメ引っかけ式ネットの止め具。
【考案の効果】
【０００７】  従来のネットを止める方法はホチッキスや合成樹脂製のヒモ、ゴムやテープである。しかし、地面に落ちると公害となる。更に熱圧着式の止め方はネットどうしが溶けて離すことが難しいためにネットの再利用が簡単にはできない。本考案は何回も使用可能であり無公害である。ワンタッチで取付け、取り外しの操作が簡単であり、時間短縮になり、高所の作業には便利である。一般的にはネットは再利用をするのでネットとセットにして保管して再利用できる。
【図面の簡単な説明】
【０００８】
【図１】正面図  （１）締めた時の図  （２）開けたときの図
【図２】側面図  （締めた時の図）  （左）（右）
【図３】上からの図（閉めた時の図）
【図４】斜め図  （閉めた時の図）
【符号の説明】
【０００９】▲１▼  取手
▲２▼  ツメ状の先端部分
▲３▼  バネ
▲４▼  中心部
▲５▼  交差している部分
▲６▼  穴
【考案を実施するための形態】
【００１０】１、  細かいメッシュ状のネットを柱などに撒く時や細かいメッシュ状のネットどうしを重ねて止める時には本考案を使用して止める。
２、  本考案の取手で先端部分を開けてネットの細い穴に差し込み、手を緩めて挟む。
３、  ネットの役目が終わったら、取手で先端を開いて取り外す。再度に使用するためにネットと一緒に本考案をはずして保管しておく。
【産業上の利用可能性】
【００１１】  近年、細かいメッシュ状のネットを購入して使用することが多くなっているが一番に困ることはどうしたらネットどうしや他の物体に接続したり、止めたりする方法である。本考案を使用すれば素人でもワンタッチで可能であり、無公害で何度も使用が可能であるために日曜大工で庭の手入れや虫除けなどに便利である。また、女性、子供でも操作が可能であり、時間節約に寄与する。
【図１】
0003213721.tif 000003
【図２】
0003213721.tif 000004
【図３】
0003213721.tif 000005
【図４】
0003213721.tif 000006
(57)【要約】      （修正有）【課題】日常生活を送る上で、食事時間の他でも健康に良いものを摂取し、健康維持をしやすくする米飯食品加工物を提供する。【解決手段】直径４ｃｍの丸型に纏めたおにぎり２を３つ用い、３つのおにぎり２を１つ１つ区分パックし、それらを１つのシート１にパッケージしたもので、日常間食用のため健康対策が行える。【選択図】図１
0003213722.tif 000002
【実用新案登録請求の範囲】
【請求項１】
直径４ｃｍの丸型に纏めたおにぎりを３つ用い、３つのおにぎりを１つ１つ区分パックし、それらを１つのシートにパッケージしたもので、日常間食用のため健康対策ができることを特徴とした物品である。
【考案の詳細な説明】
【技術分野】
【０００１】  本考案は、ビニール製パックで直径４ｃｍのおにぎりを３つに区分けし、それらを１つのシートにパッケージしたものである。また、形状はコンパクトにまとめ、携帯のし易さや食べ易さにも気を配った。【０００２】  日常生活を送る中で、午前と午後に食間食を健康維持のため設けたくなる。
【考案の開示】
【考案が解決しようとする課題】
【０００３】  日常生活を送る上で、健康維持のため、健康に良いものを食事時間の他でも摂取したい。
【課題を解決するための手段】
【０００４】  本考案は、人の健康に良いお米ご飯を摂取・吸収することで、人の健康の維持が出来、問題が解決する。また、注意事項として、食べた後は、口をゆすぐこと・鏡を見ることを忘れないことなどの明記をすると、より良い。
【考案の効果】
【０００５】  上記のものを、午前と午後の食間用と予備に分け、食することで、精神的身体的に負荷が少なく、栄養が補え、心身の健康が良くなる。（児童）、生徒、学生、会社員など、すべての人の健康に良い。
【図面の簡単な説明】
【図１】
0003213722.tif 000003
【符号の説明】
【０００６】１  ビニール製パック
２  おにぎり（お米ご飯）
【図１】
0003213722.tif 000004
【手続補正書】
【提出日】平成29年8月30日(2017.8.30)
【手続補正１】
【補正対象書類名】実用新案登録請求の範囲
【補正対象項目名】全文
【補正方法】変更
【補正の内容】
【実用新案登録請求の範囲】
【請求項１】
直径４ｃｍの丸型に纏めたおにぎりを３つ用い、３つのおにぎりを１つ１つ区分パックし、それらを１つのシートにパッケージしたもので、日常間食用のため健康対策が行えることを特徴とした米飯食品加工物である。
【手続補正２】
【補正対象書類名】明細書
【補正対象項目名】全文
【補正方法】変更
【補正の内容】
【考案の詳細な説明】
【技術分野】
【０００１】    本考案は、直径４ｃｍのおにぎりを３つに区分けし、ビニール製のシートにそれらを１つにパッケージしたものである。コンパクトにまとめ、携帯のし易さや食べ易さにも気を配ったものである。日常生活を送る上で、食事時間の他でも健康に良いものを摂取し、健康維持をしやすくするための米飯食品加工物である。
【背景技術】
【０００２】  日常生活を送る上で、午前と午後に食間食を健康維持のため設けたくなる。
【考案の開示】
【考案が解決しようとする課題】
【０００３】  日常生活を送る上で、健康維持のため、健康に良い物を食事時間の他でも摂取したい。
【課題を解決する為の手段】
【０００４】  本考案は、人の健康に良いお米ご飯を摂取・吸収することで、人の健康の維持が出来、問題が解決する。また、注意事項として、食べた後は、口をゆすぐこと・鏡を見ることを忘れないことなどの明記をすると、より良い。
【考案の効果】
【０００５】  上記のものを、午前と午後の食間用と予備の３つに分け、食することで、精神的身体的に負荷が少なく栄養を補え、心身の健康が良くなる。（児童）、生徒、学生、会社員など、すべての人の健康に良い。
【図面の簡単な説明】
【０００６】
【図１】３つのおにぎりをパックした状態の本考案の正面図
【符号の説明】
【０００７】１．ビニール製シート
２．おにぎり（お米ご飯）
【手続補正３】
【補正対象書類名】図面
【補正対象項目名】全図
【補正方法】変更
【補正の内容】
【図１】
0003213722.tif 000005
(57)【要約】      （修正有）【課題】子供が一人で片づける事が可能なプレイマットを提供する。【解決手段】プレイマット１は、家の間取りが印刷された印刷面を有する布状体１０と、布状体１０を中間部分１１で折り曲げ、互いに対向した辺１２の係止部２０が、互いに係止する事で袋状体となる。【選択図】図１
0003213725.tif 000002
【実用新案登録請求の範囲】
【請求項１】
家の間取りが印刷された印刷面を有する布状体１０と、布状体１０の外周近ぼうに配置された係止部２０を備え、布状体１０を中間部分１１で折り曲げ、互いに対向した辺１２の係止部が、互いに係上することで袋状体となるプレイマット１
【請求項２】
布状体１０の印刷面の裏面に取り付けられ、使用者の体に掛けることが可能な紐状体３０を更に備える請求項１に記載のプレイマット。
【考案の詳細な説明】
【技術分野】
【０００１】
子供が人形遊びなどで使用するプレイマットに関する。
【背景技術】
【０００２】
従来、周囲に枠を立設した本体部と、本体部に折畳み状に連設した蓋部とよりなり、蓋部を本体上に折込み被蓋すればハンディーケースとなり、蓋部を本体と同一平面状に展開すれば本体と蓋部とよりなる基盤をガーデンとし、本体部の一角に塀を囲設し、かつ取付枠内に嵌止したハウスが軸バネを介して立体状に組立てられるハウスとなり、ハウスのバネ接続部を取付枠より外せばハウスはバネを介して自動的に折畳まれ、更にハウスを倒伏すればハウス主部を嵌止した連設部と蓋が従回動して本体部に被蓋してケース体に組立てられる、組立式折畳み玩具ハウスが提案されている。
【先行技術文献】
【特許文献】
【０００３】
【特許文献１】実開平０７−００５６９９号公報
【考案の概要】
【考案が解決しようとする課題】
【０００４】
しかしながら、特許文献１の組立式折り畳みハウスは、組立てられるハウスを折り畳むことでハンディーケースにする事が出来るが、手順が複雑であり、子供が一人で片づけるのが困難であった。本考案は、子供が一人で片づける事が可能なプレイマットを提供することを目的とする。
【課題を解決するための手段】
【０００５】
家の間取りが印刷された印刷面を有する布状体と、布状体を中間部分で折り曲げ、互いに対向した辺の係止部が、互いに係止する事で袋状体となるプレイマット。
【０００６】
布状体の印刷面の裏面に取り付けられ、使用者の体に掛けることが可能な紐状体を更に備える請求項１に記載のプレイマット       
【考案の効果】
【０００７】
本考案によれば子供が一人で片づけることが可能なプレイマット提供する事が出来る。
【図面の簡単な説明】
【０００８】
【図１】本考案の実施形態に係るプレイマットが展開されている状態を示す図である。
【図２】本考案の実施形態に係るプレイマットを袋状体とした状態を示す図である。
【考案を実施するための形態】
【０００９】
家の間取りが印刷された印刷面を有する布状体１０と、布状体１０を中間部分１１で折り曲げ、互いに対向した辺の係止部２０が、互いに係止する事で袋状体となる１プレイマット
【００１０】
布状体１０の印刷面の裏面に取り付けられ、使用者の体に掛けることが可能な紐状体３０を更に備える請求項１に記載のプレイマット１
また、布状体１０の裏面で中間部分１１を穣として、紐状体３０が取り付けられている範囲と異なる範囲にポッケット４０を設けてもよい。
【００１１】
人形遊びに使う人形の家や小物類の収納場所に困り、子供が一人で片づけるのが困難であることや。又、遊びの幅が自宅でのみになってしまう等の課題を、プレイマット１を持ち運びが可能な、バック形にすることによって解決出来る。
プレイマット１は全開にする事によって人形の家として機能し、使用しない場合は付属品を収納し持ち運ぶ事の出来るリュックとなる。
【符号の説明】
【００１２】
１  プレイマット
１０  布状体
１１  中間部分
１２  辺
２０  係止部
３０  紐状体
４０  ポケット
【図１】
0003213725.tif 000003
【図２】
0003213725.tif 000004
(57)【要約】      （修正有）【課題】発泡ウレタンの帯電によりほこりを吸着することで人の手を汚すことなく衛生的に掃除することができるほこり取り器具を提供する。【解決手段】発泡ウレタン１に棒２を取り付け、棒２を手で持ち、ほこりのある箇所を掃くことにより摩擦で発泡ウレタン１が帯電し、ほこりを吸着することで手を汚さずに衛生的にほこりを取り除くことができるものである。【選択図】図１
0003213740.tif 000002
【実用新案登録請求の範囲】
【請求項１】
棒に発砲ウレタンを取り付け、摩擦により発生した静電気によりほこりを吸着することで衛生的に掃除できるように工夫したほこり取り器具
【考案の詳細な説明】
【考案の概要】
【考案が解決しようとする課題】
【０００１】  人の手による掃除ではほこりや黴菌等が手に付着し衛生的に問題がある。本考案はこの衛生上の問題を解決しようとするものである。
【課題を解決するための手段】
【０００２】  発砲ウレタンの持つ帯電性に着目し、摩擦により帯電した発泡ウレタンを用いて人の手を汚すこと無くほこりを吸着することで、前述の課題を解決しようとするものである。
【考案の効果】
【０００３】  上述の様に、本考案は人の手を汚すことなくほこりを取ることができるため、手にほこりや黴菌が付着することを防止できる。
【図面の簡単な説明】
【０００４】
【図１】本ほこり取り器具の斜視図である。
【考案を実施するための形態】
【０００５】  棒を手で持ち、掃除したい箇所を発砲ウレタンで掃くことで摩擦により発泡ウレタンが帯電し、ほこりを吸着する。これにより手を汚すことなくほこりを取ることができる。
【符号の説明】
【０００６】１  発泡ウレタン
２  棒
【図１】
0003213740.tif 000003
(57)【要約】      （修正有）【課題】ホース連結締付具で排水等を圧送するホースのホースどうしの一体化連結において、高圧力の水圧荷重がかかっても、捩れや、割れや外れのない漏水を確実に防止し離脱破損のない、ホース連結締付具を提供する。【解決手段】ホースを延長する連結部に締着するホース連結締付具であり本体１の内部に凹凸部帯状突起１０を数列状で設けるとともに、本体の片方に奇数突起を設けた嵌入溝４、片方に噛み合う偶数嵌入溝突起３を咬合させて、ホースを締付け、又、外周には歪み防止突起部１２を数状設け、締付けボルト６で強力に締めつけても捩れ、割れ、変形の生じない構造とした。【選択図】図３
0003213738.tif 000002
【実用新案登録請求の範囲】
【請求項１】
本体の片方に奇数突起を設けた嵌入溝、片方に噛み合う偶数嵌入溝突起を咬合させ、締め付けボルトとナットで固定し、排水ホースの連結を漏水及び脱ホースのないホース連結締付け具。
【請求項２】
連結ホースの弛みと皺を調整して、確実に密着する本体内面凹凸の溝を設けた請求項１記載のホース連結締付け具。
【請求項３】
締付けボルトをボルト溝に嵌め込み、ナットで締め付ける際に確実に堅く固定するために、押圧プレートを設けた請求項１記載のホース連結締付け具。
【請求項４】
支持ピンを回動し使用状態にした本体の外側面に、強固に締付けしても、割れや歪み等を防止するために、半凸の歪防止凸部を数条本設けて確実な目的をなすホース連結締付け具。
【考案の詳細な説明】
【技術分野】
【０００１】  本考案は、ポンプで排水作業を行う際に、ホースの延長連結を着脱容易にし、高圧力排水にも離脱破損のないホース連結締付具に関するものである。
【背景技術】
【０００２】  従来のホース連結接続を実施するには、針金を巻き付けペンチ等で締付けるか金属バンドでネジ締めをする。又バンドをクリップ止めしたり、スプリングバネで締めつける物など多々あるが、装着が面倒だし離脱破損などの問題があった。
【考案の開示】
【考案が解決しようとする課題】
【０００３】  そのために次のような問題点があった。
針金で複数箇所を締め付ける複雑な作業性、更にホースを線状で圧接締着するためにホースが破損する。従来の考案は高水圧に耐える密着性能が得られず、実施現場において作業性の悪いものであった。本考案はそれらの問題点を解決するためになされたものである。
【課題を解決するための手段】
【０００４】  そこで本考案は、幅広い面体とし接触を広くし、嵌合突起部嵌入して締付けボルトをボルト溝に嵌めナットで堅固に締め付ける。締付けによって生じるホースの弛みや皺は、内面に設けられた凹溝と凸溝によって調整ができ、ホースとの密着性を高め高圧力排水にも離脱破損しないものである。
【考案の効果】
【０００５】  よって、本考案のホース連結締付具は実際の使用時において、取り付け作業に熟練も必要なくナット締めの工具だけで短時間で取り付けができるものである。更に取外しも簡単にでき再利用が可能でコスト的にも安価になるものである。
【考案を実施するための最良の形態】
【０００６】  以下本考案の実施の形態について説明する。
本体１は支持ピン２を基点とした両側に半円弧状本体１があり、両端の嵌入突起３と嵌入溝４とを咬合させ、締付ボルト６をボルト溝５に差し入れてナット９で締めつける。押圧プレート１１を押し込める程に強固に締めつける。
【実施例】
【０００７】  （１）締付け加圧によるホース破損保護のために、半円弧状の内面にゴム状または軟質樹脂を吹きつけをほどこす。
（２）押圧プレートを張り付けて締付けを強固にする。
（３）半円弧状の外観面に半円状の凸部を数本設けて、本体の歪みや割れ、歪みをを防止する。
【産業上の利用可能性】
【０００８】  排水作業は、地下鉄工事、ビル建設工事、地下設備工事、河川工事、農業関連工事など掘削や埋設工事には必ず必要な用件であるため、利用の必要性は多大なものである。
【図面の簡単な説明】
【０００９】
【図１】  本考案に係わる本体の内面状態の展開図である。
【図２】  本体の外面の外観図である。
【図３】  ホースの繋ぎ部分にあてがい取り付けようとしている、使用時展開図である。
【符号の説明】
【００１０】１      本体
２      支持ピン
３      嵌入突起
４      嵌入溝
５      ボルト溝
６      締付ボルト
７      丸座金
８      角座金
９      ナット
１０    本体内面凹凸部
１１    押圧プレート
１２    歪防止凸起部
【図１】
0003213738.tif 000003
【図２】
0003213738.tif 000004
【図３】
0003213738.tif 000005
(57)【要約】      （修正有）【課題】必要な時に自動車を使うことができ、かつ自動車を保有することによる駐車場代・メンテナンス料・ガソリン代の負担がなくなり、居住者全体の生活コストを節約できる電気自動車を用いたカーシェアリングとシェアハウスの組合せを提供する。【解決手段】シェアハウスのコンセントから電気自動車に電源を供給できることを特徴とする。【選択図】図１
0003213708.tif 000002
【実用新案登録請求の範囲】
【請求項１】
電気自動車を用いたカーシェアリング付きシェアハウスの運営にかかる実用新案
【請求項２】
電気自動車を用いたカーシェアリング付き宿泊施設の運営にかかる実用新案
【考案の詳細な説明】
【技術分野】
【０００１】    シェアハウスに電気自動車によるカーシェアリングを付加することで、必要な時に自動車を使うことができ、かつ自動車を保有することによる駐車場代・メンテナンス料・ガソリン代の負担がなくなり、居住者全体の生活コストを節約できる。【０００２】    カーシェアリングに電気自動車を用いることで、従来のカーシェアリングにあった、ガソリンを事業者がこまめに補充する／使用者が満タンにして返却するといった手続きがなくなり、カーシェアリングの課題が解決される。
【考案の概要】
【考案が解決しようとする課題】
【０００３】１．従来のシェアハウスは、「家をシェアする」という発想のもと、居室と共有スペースを提供するだけであり、移動手段を含む真の意味でのシェアリングエコノミーではなかった。シェアハウスの居住者が移動や物の運搬に自動車を必要とする場合、別途月極駐車場を探すか、都度レンタカーやカーシェアリングを利用する必要があり、不便を強いられていた。
２．従来のカーシェアリングは、空き駐車場に車を置き、運営会社の職員が定期的に巡回してガソリンを補充するか、利用者がガソリンを補充する等の手間を強いられていた。また、カーシェアリング利用にあたり、利用者は自宅から最寄りのカーシェアステーションを探し、雨の日も風の日もカーシェアステーションまで徒歩で移動する必要があり、不便を強いられていた。
【課題を解決するための手段】
【０００４】    シェアハウスにカーシェアリングを付加することで、従来型のシェアハウスの課題であった、居住者用の駐車場がなく別途月極駐車場を借りる必要があるという問題が解消され、居住者の便利に資するサービスが提供できる。
また、カーシェアリングに電気自動車を使用することで、従来型カーシェアリングにあった「誰がガソリンを入れるか」という問題が解決され、カーシェアリング本来の利便性が発揮される。
さらに、シェアハウスのコンセントから電源を供給でき、従来型カーシェアリングが抱えていた、駐車場に電気設備を設けるというハードルを越えることができる。
【考案の効果】
【０００５】    シェアハウス＆カーシェアリングの真の利便性が発揮され究極のシェアリングエコノミーに近づくとともに、電気自動車の普及促進にもつながる。
【図面の簡単な説明】
【０００６】
【図１】  シェアハウス＆カーシェアリングの真の利便性が発揮され究極のシェアリングエコノミーに近づくとともに、電気自動車の普及促進にもつながる。
【図１】
0003213708.tif 000003
【手続補正書】
【提出日】平成29年6月19日(2017.6.19)
【手続補正１】
【補正対象書類名】実用新案登録請求の範囲
【補正対象項目名】請求項１
【補正方法】変更
【補正の内容】
【請求項１】
電気自動車を用いたカーシェアリングとシェアハウスの組合せ
【手続補正２】
【補正対象書類名】実用新案登録請求の範囲
【補正対象項目名】請求項２
【補正方法】変更
【補正の内容】
【請求項２】
電気自動車を用いたカーシェアリングと宿泊施設の組合せ
【手続補正書】
【提出日】平成29年9月1日(2017.9.1)
【手続補正１】
【補正対象書類名】実用新案登録請求の範囲
【補正対象項目名】全文
【補正方法】変更
【補正の内容】
【実用新案登録請求の範囲】
【請求項１】
シェアハウスのコンセントから電気自動車に電源を供給できることを特徴とする電気自動車を用いたカーシェアリングとシェアハウスの組合せ。
【手続補正２】
【補正対象書類名】明細書
【補正対象項目名】全文
【補正方法】変更
【補正の内容】
【考案の詳細な説明】
【技術分野】
【０００１】    シェアハウスに電気自動車によるカーシェアリングを付加することで、居住者は必要な時に自動車を使うことができ、かつ自動車を保有することによる駐車場代・メンテナンス料・ガソリン代の負担がなくなり、居住者全体の生活コストを節約できる。【０００２】    カーシェアリングに電気自動車を用いることで、従来のカーシェアリングにあった、ガソリンを事業者がこまめに補充する／使用者が満タンにして返却するといった手続きがなくなり、カーシェアリングの課題が解決される。
【考案の概要】
【考案が解決しようとする課題】
【０００３】１．    従来のシェアハウスは、「家をシェアする」という発想のもと、居室と共有スペースを提供するだけであり、移動手段を含む真の意味でのシェアリングエコノミーではなかった。シェアハウスの居住者が移動や物の運搬に自動車を必要とする場合、別途月極駐車場を探すか、都度レンタカーやカーシェアリングを利用する必要があり、不便を強いられていた。２．    従来のカーシェアリングは、空き駐車場に車を置き、運営会社の職員が定期的に巡回してガソリンを補充するか、利用者がガソリンを補充する等の手間を強いられていた。また、カーシェアリング利用にあたり、利用者は自宅から最寄りのカーシェアステーションを探し、雨の日も風の日もカーシェアステーションまで徒歩で移動する必要があり、不便を強いられていた。
【課題を解決するための手段】
【０００４】    シェアハウスにカーシェアリングを付加することで、従来型のシェアハウスの課題であった、居住者用の駐車場がなく別途月極駐車場を借りる必要があるという問題が解消され、居住者の便利に資するサービスが提供できる。    また、カーシェアリングに電気自動車を使用することで、従来型カーシェアリングにあった「誰がガソリンを入れるか」という問題が解決され、カーシェアリング本来の利便性が発揮される。    さらに、シェアハウスのコンセントから電源を供給でき、従来型カーシェアリングが抱えていた、駐車場に電気設備を設けるというハードルを越えることができる。
【考案の効果】
【０００５】    シェアハウス＆カーシェアリングの真の利便性が発揮され究極のシェアリングエコノミーに近づくとともに、電気自動車の普及促進にもつながる。
【図面の簡単な説明】
【０００６】
【図１】シェアハウス＆カーシェアリングの真の利便性が発揮され、究極のシェアリングエコノミーに近づくとともに、電気自動車の普及促進にもつながる。